(57)【要約】【解決手段】側面に切欠き１Ａを有し、ナットＮに外嵌合概観するソケット１を設ける。該ソケット１の外周に設けられソケット１の切欠き１Ａ位置と同じ位置に切欠き２Ａを有する動歯車２を設ける。締付け用工具Ｑの回転軸Ｑ１先端部に連動して動歯車２を回転せしめる駆動歯車３を設ける。動歯車２と駆動歯車３とを平歯車で形成する。動歯車２の歯面に対して斜めに形成された切欠き２Ａから、ソケット１側面の鉛直方向に設けられた切欠き１Ａに長ボルトＲを導入する導入口２Ｂを動歯車２に設ける。【効果】工具の構成を軽量簡素化することができる。天井等から吊り下げられた全ねじボルトにナットを装着する場合でも、きわめて容易にナットを回転させることができる。【選択図】　図１
2004001125.tif 000002
【特許請求の範囲】
【請求項１】
側面に切欠きを有し、ナットに外嵌するソケットと、該ソケットの外周に設けられソケットの切欠き位置と同じ位置に切欠きを有する動歯車と、締付け用工具の回転軸先端部に連動して動歯車を回転せしめる駆動歯車とを設けたことを特徴とする中間挿入式ナット回し工具。
【請求項２】
前記動歯車と駆動歯車は平歯車で形成され、動歯車の歯面に対して斜めに形成された切欠きから、ソケット側面の鉛直方向に設けられた切欠きに長ボルトを導入する導入口を動歯車に設けた請求項１記載の中間挿入式ナット回し工具。
【請求項３】
前記動歯車と駆動歯車は、スパイラルギヤで形成され、動歯車の歯面に対して鉛直方向に設けられた切欠きを動歯車とソケットに連設した請求項１記載の中間挿入式ナット回し工具。
【請求項４】
前記ソケットは、径が異なるナットに嵌合する複数の嵌合凹部をソケットの内側面に設け、ソケットに嵌合したナットの上面または下面に係止する係止用リブをソケットの内側面に突設した請求項１乃至３いずれか記載の中間挿入式ナット回し工具。
【発明の詳細な説明】
【０００１】
【発明の属する技術分野】
本発明は、主に、吊りボルト等として使用される長ボルトに、ナットをネジ止めする作業時間を短縮するのに好適な中間挿入式ナット回し工具に関する。
【０００２】
【従来の技術】
従来この種のナット回し工具として、実用新案登録第３０３５２８６号公報に記載された配管用袋ナット締付け工具や、特開平７−１１２３７３号公報に記載されたオープンエンドレンチなどが提案されている。前者の締付け工具は、側面に配管を挿入する切欠きを有し、袋ナットに嵌合するソケットと、このソケットを回転せしめる二つの駆動歯車と、これらの駆動歯車に同期して同時に回転せしめる同期駆動歯車とからなるもので、配管用袋ナットの締付け作業を高速化できるようにしている。
【０００３】
一方、後者のオープンエンドレンチは、側面に開口部を有するソケットの周囲にウォームホイールを設け、エアーモーターに接続されるスパーギヤとウォームホイールとの間にスパーギヤ付ウォームを設けたものである。このオープンエンドレンチによると、開口部を有するソケットを連続的に回転させることができるというものである。
【０００４】
【発明が解決しようとする課題】
ところが、前者の配管用袋ナット締付け工具では、ソケットに設けた切欠きに妨げられることなくソケットを回転できるようにするため、左右一対の駆動歯車を設けている。そのため、この工具では、ソケットと一対の駆動歯車と、更にこれらの駆動歯車を同時に回転せしめる同期駆動歯車との最低４個の歯車が必要になっている。そのため、工具が重く嵩張るものになっていた。
【０００５】
一方、後者のオープンエンドレンチでは、レンチ先端のウォームホイールを回転せしめるため、スパーギヤ付ウォームやその他のギヤを数多く要している。したがって、このオープンエンドレンチは前記締付け工具よりも更に重く、嵩張るものである。
【０００６】
しかも、これら締付け工具やオープンエンドレンチは、いずれも配管用袋ナットを締付ける作業に適しているが、天井等に吊り下げられた長ボルトにネジ止めするナットを締付けるには適していない。すなわち、いずれの工具も僅かな距離だけ締め付けることは可能でも、ナットの移動に合わせて工具を移動させる作業には向いていない。例えば、長ボルトに添ったナットを締付ける場合には、これらの工具がナットから外れないように保持しながら、長い距離を移動するナットに合わせて工具も移動させる必要がある。しかしながら、従来の工具では、ソケットからナットが外れ易い構造になっているだけでなく、工具自体が重く嵩張る構成になっているので、これらの工具をナットに合わせて上下に移動させる作業が極めて困難になる。
【０００７】
そこで、本発明は上述の課題を解消すべく創出されたもので、工具の構成を簡素化することができ、例えば天井等から吊り下げられた全ねじボルトにナットを装着する場合でも、きわめて容易にナット回転作業を行うことができる中間挿入式ナット回し工具の提供を目的とするものである。
【０００８】
【課題を解決するための手段】
上述の目的を達成すべく本発明の第１の手段は、側面に切欠き１Ａを有し、ナットＮに外嵌するソケット１と、該ソケット１の外周に設けられソケット１の切欠き１Ａ位置と同じ位置に切欠き２Ａを有する動歯車２と、締付け用工具Ｑの回転軸Ｑ１先端部に連動して動歯車２を回転せしめる駆動歯車３とを設けたものである。
【０００９】
第２の手段は、動歯車２と駆動歯車３は平歯車で形成され、動歯車２の歯面に対して斜めに形成された切欠き２Ａから、ソケット１側面の鉛直方向に設けられた切欠き１Ａに長ボルトＲを導入する導入口２Ｂを動歯車２に設けることにある。
【００１０】
第３の手段における動歯車２と駆動歯車３は、スパイラルギヤで形成され、動歯車２の歯面に対して鉛直方向に設けられた切欠き２Ａ、１Ａを動歯車２とソケット１に連設するものである。
【００１１】
第４の手段は、径が異なるナットＮに嵌合する複数の嵌合凹部１Ｂをソケット１の内側面に設け、前記ソケット１に嵌合したナットＮの上面または下面に係止する係止用リブ１Ｃをソケット１の内側面に突設したことを課題解消の為の手段とする。
【００１２】
本発明によると、切欠き２Ａ、１Ａからソケット１内部に導入されたナットＮは、嵌合凹部１Ｂに嵌合すると共に、係止用リブに係止されながら長ボルトＲに沿って上下移動するものである。
【００１３】
【発明の実施の形態】
以下、図面を参照して、本発明の実施の形態を詳細に説明する。本発明工具は、ソケット１、動歯車２、駆動歯車３を組み合わせた構成である（図１参照）。
【００１４】
ソケット１は、側面に切欠き１Ａを有し、ナットＮに外嵌するもので、該ソケット１の外周に動歯車２を固着している。これらソケット１と動歯車２との各側面には、長ボルトＲを導入せしめる切欠き１Ａ、２Ａを設けている。
【００１５】
ソケット１の切欠き１Ａ位置と動歯車２の切欠き２Ａ位置は同じ位置に合わせてあり、動歯車２の側面からソケット１の内部まで長ボルトＲを導入するものである。
【００１６】
図１乃至図３に示す実施例は、動歯車２と駆動歯車３とを平歯車で形成したものである。この実施例では、動歯車２の歯面に対して斜めに形成された切欠き２Ａから、ソケット１側面の鉛直方向に設けられた切欠き１Ａに長ボルトＲを導入する導入口２Ｂを動歯車２に設けている。
【００１７】
ナットＮに嵌合する嵌合凹部１Ｂをソケット１の内部に設けている。図示の嵌合凹部１Ｂは、径が異なるナットＮにそれぞれ嵌合するように、複数の径の嵌合凹部１Ｂを併設する（図１参照）。また、この嵌合凹部１Ｂに嵌合したナットＮの上面または下面に係止する係止用リブ１Ｃをソケット１の内側面に突設する（図２参照）。
【００１８】
ケース体Ｐはソケット１、動歯車２、駆動歯車３を収納配置するものである（図１参照）。図示のケース体Ｐは、各部材を収納設置する収納部Ｐ２と、この収納部Ｐ２の開口上部を施蓋する蓋体Ｐ３とで構成している。そして、ケース体Ｐの一部に切欠挿入口Ｐ１を設けている。本発明は、長ボルトＲにネジ止めされたナットＮをこの切欠挿入口Ｐ１からソケット１の中に導入して締付け用工具Ｑの回転で回転せしめるものである。
【００１９】
符号５はケース体Ｐの側面に連結するハンドルである。本発明使用時において作業者は、一方の手でハンドル５を支持し、他方の手で締付け用工具Ｑを操作するものである（図３参照）。
【００２０】
駆動歯車３は、電動ドライバーや電気ドリル等の締付け用工具Ｑを用いて回転させる歯車で、締付け用工具Ｑの回転軸Ｑ１先端部に連結する連結凹部３Ａを設けている（図４参照）。この連結凹部３Ａは、断面角形状の回転軸Ｑ１に嵌合する形状を成している。図示例では、回転軸Ｑ１の側面に設けた溝部に嵌合する鋼球４Ａをスプリング４Ｂで押圧付勢するストッパー４を設けている。
【００２１】
図５及び図６に示す実施例は、動歯車２と駆動歯車３とをスパイラルギヤで形成している。そして、動歯車２及びソケット１の切欠き２Ａ、１Ａを、動歯車２の歯面に対して鉛直方向に設けている（図６参照）。
【００２２】
このスパイラルギヤを動歯車２に使用した場合でも、切欠き２Ａを設けていても駆動歯車３と歯合させることが可能である。
【００２３】
【発明の効果】
本発明は、上述の如く構成したことにより、当初の目的を達成する。
【００２４】
すなわち、側面に切欠き１Ａを有し、ナットＮに外嵌するソケット１と、該ソケット１の外周に設けられソケット１の切欠き１Ａ位置と同じ位置に切欠き２Ａを有する動歯車２と、締付け用工具Ｑの回転軸Ｑ１先端部に連動して動歯車２を回転せしめる駆動歯車３とを設けたことから、工具の構成を簡素化することができ、軽量でコンパクトな締付け工具を提供することができる。この結果、例えば天井等から吊り下げられた全ねじボルトにナットを装着する場合でも、きわめて容易にナット回転作業を行うことができる。
【００２５】
また、動歯車２と駆動歯車３は平歯車で形成され、動歯車２の歯面に対して斜めに切欠き２Ａを形成しているので、動歯車２と駆動歯車３との歯が常に歯合した状態を維持することができる。更に、動歯車２の切欠き２Ａとソケット１の切欠き１Ａとの間に導入口２Ｂを設けているから、ソケット１に長ボルトＲを導入する作業が容易に行える。
【００２６】
動歯車２と駆動歯車３は、スパイラルギヤで形成され、動歯車２の歯面に対して鉛直方向に設けられた切欠き２Ａ、１Ａを動歯車２とソケット１に連設したことで、長ボルトＲをソケット１に導入する作業が極めて容易になり、また、スパイラルギヤで形成された動歯車２と駆動歯車３とが常に歯合した状態を維持する。
【００２７】
更に、径が異なるナットＮに嵌合する複数の嵌合凹部１Ｂと、ナットＮの上面または下面に係止する係止用リブ１Ｃとをソケット１の内側面に設けているから、長ボルトＲに沿ってナットＮが移動する間、ナットＮを確実に保持することができ、長距離の移動でも容易に締付けることができる。
【００２８】
このように本発明によると、工具の構成を簡素化することができ、例えば天井等から吊り下げられた全ねじボルトにナットを装着する場合でも、きわめて容易にナット回転作業を行うことができるなどといった有益な種々の効果を奏するものである。
【図面の簡単な説明】
【図１】本発明の一実施例を示す分解斜視図。
【図２】本発明の一実施例を示す平面図。
【図３】本発明の使用状態を示す分解斜視図。
【図４】本発明の駆動歯車の実施例を示す縦断面図。
【図５】本発明の他の実施例を示す分解斜視図。
【図６】本発明の他の実施例を示す平面図。
【符号の説明】
Ｐ　ケース体　　　　Ｐ１　切欠挿入口
Ｐ２　収納部
Ｐ３　蓋体
Ｑ　締付け用工具　　Ｑ１　回転軸
Ｒ　長ボルト
Ｎ　ナット
１　ソケット　　　　１Ａ　切欠き
１Ｂ　嵌合凹部
１Ｃ　係止用リブ
２　動歯車　　　　　２Ａ　切欠き
２Ｂ　導入口
３　駆動歯車
４　ストッパー　　　４Ａ　鋼球
４Ｂ　スプリング
５　ハンドル
【図１】
2004001125.tif 000003
【図２】
2004001125.tif 000004
【図３】
2004001125.tif 000005
【図４】
2004001125.tif 000006
【図５】
2004001125.tif 000007
【図６】
2004001125.tif 000008